【手続補正書】
【提出日】平成16年11月16日(2004.11.16)
【手続補正１】
【補正対象書類名】明細書
【補正対象項目名】全文
【補正方法】変更
【補正の内容】
【書類名】        明細書
【発明の名称】  連窓構造
【特許請求の範囲】
【請求項１】    共通の窓枠に対してそれぞれ開窓方向に付勢されて枢着された複数の障子と、障子に対して障子の上框に取付けられた滑車を介して連結され且つ前記窓枠の上横枠に沿って摺動可能なワイヤと、前記障子を開閉するために前記ワイヤを巻き取り若しくは繰り出すドラムとを備えた連窓構造において、隣接する障子同士が各障子間の連結具によって互いに固定され、全障子が前記ワイヤの摺動によって一体的に一斉に開閉運動可能とされていることを特徴とする連窓構造。
【請求項２】    前記ドラムが、全障子の開窓状態を予め定められた複数段の開角度に選択的に保持するラッチ機構を備えていることを特徴とする請求項１に記載の連窓構造。
【発明の詳細な説明】
【０００１】
【発明の属する技術分野】
本発明は、複数の障子窓を備えた連窓構造に関するものである。
【０００２】
【従来の技術】
通常、工場などの天井の高い建物では、壁の高所に排煙等を行うための内倒しあるいは外倒しの連窓が設けられている。一般的な連窓は、下側の横窓枠に固定された下横框を回動中心として上横框が自重によって室内側（内倒し）あるいは室外側（外倒し）に開放付勢された障子が複数並設されており、各障子をそれぞれ上横框に取付けられている滑車を介してワイヤで連結し、このワイヤが弛んでいる際には、前記自重によって開放付勢された開状態となるものである。
【０００３】
一方、ワイヤを上横窓枠に沿ってドラムで巻き取って各障子の上横框を上横窓枠に向けて引っ張り上げることにより、障子を閉じることができ、全障子が閉じた位置でドラムをラッチすればその閉塞状態を保持することができる。従って、ドラム回転によるワイヤの巻き取り、ラッチ、あるいはラッチ解除とワイヤの繰り出し、によって全障子の開閉が行われる。
【０００４】
【発明が解決しようとする課題】
しかしながら、上記の如き従来の連窓では、開く際には、ワイヤの弛みに伴ってドラム側の障子から一つずつ順次開いていき、閉じる際には、ワイヤの巻き取り、引張りに伴って、ドラムから離れた障子から一つずつ順次閉じていく。
【０００５】
従って、全障子が揃っているのは閉塞状態か、全開状態のときのみであり、状況に応じて全障子に亘って狭開にしたり半開にしたりしたくても、このような微妙な調整をすることができなくて不便であった。
【０００６】
本発明は、上記問題点に鑑み、全障子の開閉を一体的に調整可能な連窓構造を得ることを目的とする。
【０００７】
【課題を解決するための手段】
上記目的を達成するため、請求項１に記載の発明に係る連窓構造は、共通の窓枠に対してそれぞれ開窓方向に付勢されて枢着された複数の障子と、障子に対して障子の上框に取付けられた滑車を介して連結され且つ前記窓枠の上横枠に沿って摺動可能なワイヤと、前記障子を開閉するために前記ワイヤを巻き取り若しくは繰り出すドラムとを備えた連窓構造において、隣接する障子同士が各障子間の連結具によって互いに固定され、全障子が前記ワイヤの摺動によって一体的に一斉に開閉運動可能とされているものである。
【０００８】
また、請求項２に記載の発明に係る連窓構造は、請求項１に記載の連窓構造において、前記ドラムが、全障子の開窓状態を予め定められた複数段の開角度に選択的に保持するラッチ機構を備えているものである。
【００１３】
本発明においては、連窓の各障子間に、隣り合う障子同士を連結する連結具を取付ける構成とすることによって、全障子を一体的に一斉に開閉運動させることを可能としたものである。
【００１４】
即ち、全障子は連結具による連結によって一体的に開窓方向に付勢されており、各障子を連結するワイヤの弛み分は各障子に対して分散するため、各障子の上框の上横窓枠からの距離、即ち開度は均一となり、全障子は一斉に揃って一体的に開放状態となる。このワイヤの弛み分が変化しても、速やかに変化分が各障子に対して分散するため、障子の開閉運動は常に全てが一斉に揃った一体的なものとなる。
【００１５】
従って、ドラムをラッチしてワイヤを所定の弛み分で固定すれば、全ての障子が揃って任意の開角度で半開状態とすることができる。このワイヤの弛み分を制御することによって、微妙な開閉の調整が可能であり、所望の角度での開状態を容易に得ることができる。
【００１６】
例えば、ドラムのラッチ機構を備え、このラッチ機構によって予め定められた複数段の開角度での開放状態を選択的にそれぞれ保持できるものとすれば、各開角度を狭い角度から全開までを段階的に設定し、各種状況に応じた所望角度の開状態に簡便に切換えることができる。
【００１７】
なお、本発明による連結具としては、隣り合う障子間に取付けて全障子を一体的に連結できるものであれば良く、例えば、隣接する一対の障子の縦框同士を互いに固定するブリッジ片からなるものが最も簡便で外観がすっきりと良好な構成の一つとして挙げられる。
【００１８】
このブリッジ片からなる連結具では、両端部をそれぞれ隣接する障子の各縦框の外側面に当接させる、断面コの字形状のもの、あるいは両端部を隣接する障子の各縦框の室内側表面に当接させる形状のものが考えられるが、このようなブリッジ片は、両端部を隣接する障子の各縦框にビス止め等で固定でき、既存の連窓の互いに独立した障子間に容易に取付けられ、一体的開閉運動可能な連窓構造を得ることができる。
【００１９】
また、このようなブリッジ片は、内倒し連窓の場合には室内側に露出することになるが、隣接する障子の縦框間で室内側にカバーを装着することによってブリッジ片を隠遁することができる。このカバーは、特に既存の連窓を連結する場合のブリッジ片の違和感を目立たなくするのに有効である。
【００２０】
【発明の実施の形態】
（実施の形態１）  以下に、本発明の第１の実施形態として、４つのガラス障子からなる内倒し連窓を図１、図２、図３に示す。図１は、室内側から見た半開状態における内倒し連窓の概略構成図である。図２は、連結具付近を上方から見た横断面図であり、（ａ）は閉状態、（ｂ）は半開状態を示す部分拡大図である。図３は、図２（ａ）中のＸ−Ｘで示した部位の縦断面図である。
【００２１】
４枚のガラス障子（１ａ，１ｂ，１ｃ，１ｄ）は、それぞれ、下横框（５ａ，５ｂ，５ｃ，５ｄ）が蝶番等によって窓枠のうち下横窓枠６に回動可能に、室内側への自重による開放付勢状態で固定されている。各障子（１ａ，１ｂ，１ｃ，１ｄ）の上横框（３ａ，３ｂ，３ｃ，３ｄ）には、それぞれ中央部に、後述するワイヤ９が掛けられる滑車（４ａ，４ｂ，４ｃ，４ｄ）が取付けられている。
【００２２】
窓枠側には、上横窓枠７の長手方向に亘って一端側が固定されたワイヤ９が、途中各滑車（４ａ，４ｂ，４ｃ，４ｄ）を介して障子（１ａ，１ｂ，１ｃ，１ｄ）を連結した状態で張り渡され、他端が、建物内壁の下方に設置されたコントロールボックス１０内のドラム（不図示）に捲回されている。
【００２３】
このドラムの回転駆動により、ワイヤ９が巻き取られると、各滑車（４ａ，４ｂ，４ｃ，４ｄ）を介して上横框（３ａ，３ｂ，３ｃ，３ｄ）が上横窓枠７側へ引き上げれて各障子（１ａ，１ｂ，１ｃ，１ｄ）がそれぞれ閉じられる。このワイヤ９の緊張状態のままドラムをラッチすれば、障子（１ａ，１ｂ，１ｃ，１ｄ）の閉塞状態を保持できる。
【００２４】
一方、ドラムのラッチを解除してワイヤ９を弛めれば、各障子（１ａ，１ｂ，１ｃ，１ｄ）はその自重による開放付勢に従って、下横框（５ａ，５ｂ，５ｃ，５ｄ）側を中心として室内側下方へ回動し、開いていく。
【００２５】
ここで、本実施形態による連窓では、各障子（１ａ，１ｂ，１ｃ，１ｄ）は、隣り合う障子間の縦框２の室内側表面に両端部がビス固定されるブリッジ片１１によって一体的に連結されている。図２にも示すように、このブリッジ片１１は、室内側に装着されたカバー１２によって隠蔽されており、室内側に露出することなく目立たない状態となっている。
【００２６】
また窓枠には、各障子間の境界部に下横窓枠６と上横窓枠７との間に亘って、障子閉塞時に縦框２が当接するたて骨８が設けられている。このたて骨８の前面側（室内側）は、障子閉塞時に縦框２の表面より突出する断面凸形状になっているため、ここでは、ブリッジ片１１の前面にこの凸形状に応じて室内側に膨らむ凹部領域を形成した。
【００２７】
以上のように、本実施形態による内倒し連窓では、全障子（１ａ，１ｂ，１ｃ，１ｄ）がブリッジ片１１によって一体的に連結されているため、ワイヤ９を繰り出して弛めたとき、その弛み分は各障子に対して速やかに分散し、全障子（１ａ，１ｂ，１ｃ，１ｄ）は揃って一体的に開く。即ち、ドラムの回転駆動によりワイヤ９の弛み量が変化しても、変化分は速やかに各障子に対して分散するため、常に、全障子（１ａ，１ｂ，１ｃ，１ｄ）は一斉に揃って一体的な開閉運動を行う。
【００２８】
従って、所望の開角度となった時点でワイヤ９の繰り出しを止めてドラムをラッチすれば、全障子（１ａ，１ｂ，１ｃ，１ｄ）が揃った任意の半開状態を得ることができる。また、予め所望の開角度に応じた数段階のラッチ位置を設定しておけば、ドラムのラッチを切換えるだけで容易に異なる開角度の半開状態に切換えることができる。
【００２９】
ドラムの回転駆動は、ハンドルによる手動でも良いが、モータ等の駆動源を利用してコントロールボックス１０において自動制御可能とすれば、上記複数段の開角度の変更もコントロールボックス１０上のボタン操作等で簡便に切換えることができる。
【００３０】
また、ブリッジ片１１は、各障子間に取り付け可能な間隔があれば、既存の連窓であっても利用でき、簡便に全障子を一体的に連結することができる。また、その間隔に応じてブリッジ片１１のサイズを適宜選択すれば良い。
【００３１】
（実施の形態２）  次に、本発明の第２の実施形態として、外倒し連窓の場合を説明する。図４は、連結具付近を上方から見た横断面図であり、（ａ）は閉状態、（ｂ）は半開状態を示す部分拡大図である。また図５は、図４（ａ）中のＹ−Ｙで示した部位の縦断面図である。
【００３２】
本実施形態による外倒し連窓は、各障子が室外側へ開く以外は、第１実施形態の内倒し連窓と同様の基本的構成を持つものである。即ち、各ガラス障子２１は、それぞれ、下横框２５が蝶番等によって窓枠のうち下横窓枠２６に回動可能に、室外側への自重による開放付勢状態で固定されている。
【００３３】
また上横窓枠２７の長手方向に亘って一端側が固定されたワイヤが、途中、各障子２１の上横框のそれぞれ中央部に取り付けられている各滑車を介して障子２１を連結した状態で張り渡され、他端が、壁を貫通して室内側へ導かれ、建物内壁の下方に設置されたコントロールボックス内のドラムに捲回されている。
【００３４】
第１の実施形態と同様に、このドラムの回転駆動により、ワイヤが巻き取られると各滑車を介して上横框が上横窓枠２７側へ引き上げれて各障子２１がそれぞれ閉じられ、このワイヤの緊張状態のままドラムをラッチすれば、障子２１の閉塞状態を保持でき、ドラムのラッチを解除してワイヤを弛めれば、各障子２１はその自重による開放付勢に従って、下横框２５側を中心として室外側下方へ回動し、開いていく。
【００３５】
本実施形態による連窓では、各障子２１は、隣り合う障子間に取り付けられた略コの字形状のブリッジ片３１によって一体的に連結されている。図４に示すように、このブリッジ片３１は、その両端縁が隣り合う障子の隣接する縦框２の互いに対向する側面に当接した状態でビス固定されることによって隣り合う障子２１同士を連結している。
【００３６】
また、各障子間の境界部に下横窓枠２６と上横窓枠２７との間に亘って設けられ、障子閉塞時に縦框２２が当接するたて骨２８の前面側（室外側）は、障子閉塞時に縦框２２の表面より突出する断面凸形状になっているため、ここでも、ブリッジ片３１の前面にこの凸形状に応じて外側に膨らむ凹部領域を形成した。
【００３７】
以上のように、本実施形態による外倒し連窓では、全障子２１がブリッジ片３１によって一体的に連結されているため、ワイヤを繰り出して弛めたとき、その弛み分は各障子２１に対して速やかに分散し、全障子２１は揃って一体的に室外側へ開く。即ち、ドラムの回転駆動によりワイヤの弛み量が変化しても、変化分は速やかに各障子に対して分散するため、常に、全障子２１は一斉に揃って一体的な開閉運動を行う。
【００３８】
さらに、本実施形態におけるブリッジ片３１は、各障子間に取り付け可能な間隔があれば、既存の連窓であっても利用でき、簡便に全障子を一体的に連結することができる。また、本実施形態による連窓は、室外側へ開く外倒し型であるので、室内側に網戸３２を設けることができる。
【００３９】
なお、上記第１実施形態においては、４連窓に関して説明したが、本発明はこれに限定されるものではなく、２つ以上の連窓であれば有効である。
【００４０】
【発明の効果】
以上説明したとおり、本発明によれば、全障子の開閉を一体的に調整でき、所望の角度の開状態を容易に得ることができるという効果がある。
【図面の簡単な説明】
【図１】本発明の第１の実施形態による内倒し連窓を示す概略構成図である。
【図２】図１の連窓の連結部を説明する横断面部分拡大図であり、（ａ）は閉状態、（ｂ）は開状態をそれぞれ示すものである。
【図３】図２（ａ）中にＸ−Ｘで示した部分の縦断面図である。
【図４】本発明の第２の実施形態による内倒し連窓の連結部を説明する横断面部分拡大図であり、（ａ）は閉状態、（ｂ）は開状態をそれぞれ示すものである。
【図５】図４（ａ）中にＹ−Ｙで示した部分の縦断面図である。
【符号の説明】
１ａ，１ｂ，１ｃ，１ｄ，２１：障子
２，２２：縦框
３ａ，３ｂ，３ｃ，３ｄ：上横框
４ａ，４ｂ，４ｃ，４ｄ：滑車
５ａ，５ｂ，５ｃ，５ｄ，２５：下横框
６，２６：下横窓枠
７，２７：上横窓枠
８，２８：たて骨
１０：コントロールボックス
１１，３１：ブリッジ片
３２：網戸